(57)【要約】【課題】  低コスト、省スペースで貫流ファンの多機能化を図る。【解決手段】  多数の羽根車６ａ，６ａ・・を回転軸方向に連結してなる多連羽根車６を有する貫流ファンにおいて、前記多連羽根車６における端部側の少なくとも１連の羽根車６ａを被包し、回転軸方向に吸込口１０を、遠心方向に吐出口１１をそれぞれ有するスクロール９を付設して、当該羽根車６ａ部分を多翼遠心ファンとして機能させるようにして、貫流ファン３の一部（即ち、端部側の少なくとも１連の羽根車６ａ部分）にスクロール９を付設するだけで、当該羽根車６ａ部分を遠心多翼ファンとして機能させることができるようにしている。【選択図】        図４
2005330905.tif 000002
【特許請求の範囲】
【請求項１】
多数の羽根車（６ａ），（６ａ）・・を回転軸方向に連結してなる多連羽根車（６）を有する貫流ファンであって、前記多連羽根車（６）における端部側の少なくとも１連の羽根車（６ａ）を被包し、回転軸方向に吸込口（１０）を、遠心方向に吐出口（１１）をそれぞれ有するスクロール（９）を付設して、当該羽根車（６ａ）部分を多翼遠心ファンとして機能させるようにしたことを特徴とする貫流ファン。
【請求項２】
前記補助ケーシング（９）の一部を可動としたことを特徴とする請求項１記載の貫流ファン。
【発明の詳細な説明】
【技術分野】
【０００１】
本願発明は、貫流ファンに関し、さらに詳しくは多翼遠心ファンとしての機能を付与した貫流ファンに関するものである。
【背景技術】
【０００２】
一般に、家庭用の壁掛けタイプの空気調和機においては、貫流ファンが多用されることとなっている。該貫流ファンは、多数の羽根車を回転軸方向に連結してなる多連羽根車を有し、これらの羽根車の回転により吸込側に面する羽根車の周面側から他の周面側へ空気を貫流させて吹き出すように構成されている。
【０００３】
ところで、室内空気の換気は換気扇で行い、冷暖房は空気調和機で行うというように、それぞれ別個の機器が用いられてきていたが、近年、換気機能を有する空気調和機が見られるようになってきている。その場合においても、貫流ファンとは別個に新たに多翼遠心ファンおよび該多翼遠心ファン専用のモータを付加するのが一般的であった。
【０００４】
ところが、このようにした場合、新たに遠心多翼ファンおよび専用のモータが必要になるところから、コスト的にも設置スペース的にも不利となるという不具合が存する。
【０００５】
また、貫流ファンを構成する羽根車端部の仕切板の外側面において、貫流ファンの中心軸回りに複数の補助ブレードを設けるとともに、同中心軸回りに回転する同補助ブレードを一方の周面側で覆う補助ケーシングを備えて構成し、同補助ブレードを中心軸方向で空気を吸い込み、他の周面側へ空気を吹き出す遠心ファンとして構成したものが提案されている（特許文献１参照）。
【０００６】
【特許文献１】特開２００２−３５７１９４号公報。
【発明の開示】
【発明が解決しようとする課題】
【０００７】
上記特許文献１に開示されている貫流ファンの場合、羽根車端部の仕切板外側面に補助ブレードを設ける必要があるところから、仕切板外側面に貫流ファンの羽根車とは別個のものを設けなければならず、コスト的に不利となる。
【０００８】
本願発明は、上記の点に鑑みてなされたもので、低コスト、省スペースで多機能な貫流ファンを提供することを目的とするものである。
【課題を解決するための手段】
【０００９】
本願発明では、上記課題を解決するための第１の手段として、多数の羽根車６ａ，６ａ・・を回転軸方向に連結してなる多連羽根車６を有する貫流ファンにおいて、前記多連羽根車６における端部側の少なくとも１連の羽根車６ａを被包し、回転軸方向に吸込口１０を、遠心方向に吐出口１１をそれぞれ有するスクロール９を付設して、当該羽根車６ａ部分を多翼遠心ファンとして機能させるようにしている。
【００１０】
上記のように構成したことにより、貫流ファン３の一部（即ち、端部側の少なくとも１連の羽根車６ａ部分）にスクロール９を付設するだけで、当該羽根車６ａ部分を遠心多翼ファンとして機能させることができる。従って、低コスト、省スペースで多機能化を達成することができる。
【００１１】
本願発明では、上記課題を解決するための第２の手段として、上記第１の手段を備えた貫流ファンにおいて、前記スクロール９の一部を可動とすることもでき、そのように構成した場合、スクロール９の一部を変化させることにより、さらなる多機能化を容易に実現できる。
【発明の効果】
【００１２】
本願発明の第１の手段によれば、多数の羽根車６ａ，６ａ・・を回転軸方向に連結してなる多連羽根車６を有する貫流ファンにおいて、前記多連羽根車６における端部側の少なくとも１連の羽根車６ａを被包し、回転軸方向に吸込口１０を、遠心方向に吐出口１１をそれぞれ有するスクロール９を付設して、当該羽根車６ａ部分を多翼遠心ファンとして機能させるようにして、貫流ファン３の一部（即ち、端部側の少なくとも１連の羽根車６ａ部分）にスクロール９を付設するだけで、当該羽根車６ａ部分を遠心多翼ファンとして機能させることができるようにしたので、低コスト、省スペースで多機能化を達成することができるという効果がある。
【００１３】
本願発明の第２の手段におけるように、上記第１の手段を備えた貫流ファンにおいて、前記スクロール９の一部を可動とすることもでき、そのように構成した場合、スクロール９の一部を変化させることにより、さらなる多機能化を容易に実現できる。
【発明を実施するための最良の形態】
【００１４】
以下、添付の図面を参照して、本願発明の幾つかの好適な実施の形態について詳述する。
【００１５】
第１の実施の形態
図１ないし図４には、本願発明の第１の実施の形態にかかる貫流ファンを用いた空気調和機が示されている。
【００１６】
この空気調和機は、壁掛けタイプとされており、空気調和機本体１内に、冷暖房用の熱源として作用する熱交換器２と、該熱交換器２を通過した室内空気Ｗを空気吹出口５から室内へ還流させる貫流ファン３とを配設して構成されている。符号４ａ，４ｂは前部および上部空気吸込口である。
【００１７】
前記貫流ファン３は、前進翼タイプの多数の羽根車６ａ，６ａ・・を回転軸方向に連結してなる多連羽根車６と、該多連羽根車６を回転駆動させるファンモータ７とにより構成されている。
【００１８】
前記熱交換器２は、前記貫流ファン３における多連羽根車６の前部を覆う前部熱交換器２ａと、前記多連羽根車６の上部を覆う上部熱交換器２ｂとによって略ヘ字状に構成されている。前記前部熱交換器２ａは、前記前部空気吸込口４ａに対向し、前記上部熱交換器２ｂは、前記上部空気吸込口４ｂに対向している。符号８ａ，８ｂはドレンパンである。
【００１９】
前記多連羽根車６における端部側の１連の羽根車６ａ部分には、該羽根車６ａ部分を被包し、回転軸方向に吸込口１０を、遠心方向に吐出口１１をそれぞれ有する渦巻きタイプのスクロール９が付設されており、当該羽根車６ａ部分は遠心多翼ファン（即ち、シロッコファン）として機能することとなっている。符号１２は貫流ファン３のエンドプレート兼シロッコファンのエンドプレートである。
【００２０】
そして、前記スクロール９の吐出口１１には、室外へ通じる換気ダクト１３が接続されている。また、前記空気調和機本体１における前記スクロール９の吸込口１０と対向する部位には、室内空気Ｗを吸い込むための室内空気吸込口１４が形成されている。このようすると、室内空気Ｗのスクロール９への吸込抵抗が可及的に小さくできるところから、良好な換気機能を発揮できる。
【００２１】
上記のように構成したことにより、貫流ファン３として機能している部分においては、図３に示すように、空気吸込口４ａ，４ｂから吸い込まれた室内空気Ｗは、熱交換器２ａ，２ｂを通過する過程で加熱あるいは冷却され、貫流ファン３を貫流して空気吹出口５から室内へ還流されるが、シロッコファンとして機能している羽根車６ａ部分においては、室内空気吸込口１４から吸込口１０を経てスクロール９内に吸い込まれた室内空気Ｗは、換気ダクト１３を介して室外へ換気されることとなる。つまり、冷暖房のための室内空気循環用として作用する貫流ファン３の一部（即ち、端部側の１連の羽根車６ａ部分）にスクロール９を付設するだけで、当該羽根車６ａ部分を換気用の遠心多翼ファン（即ち、シロッコファン）として機能させることができることとなり、低コスト、省スペースで貫流ファン３に遠心多翼ファン（即ち、シロッコファン）としての機能を付与することができるのである（換言すれば、低コスト、省スペースで空気調和機に換気機能を付与させることができるのである）。
【００２２】
なお、本実施の形態においては、多連羽根車６における端部側の１連の羽根車６ａ部分にスクロール９を付設するようにしているが、必要に応じて、多連羽根車６における端部側の複数連の羽根車６ａ，６ａ・・部分にスクロール９を付設する場合もある。
【００２３】
第２の実施の形態
図５には、本願発明の第２の実施の形態にかかる空気調和機における遠心多翼ファン部分が示されている。
【００２４】
この場合、スクロール９の一部（即ち、空気吹出口５と対応する部分および吐出口１１と対応する部分）が可動部９ａ，９ｂとされている。該可動部９ａ，９ｂは、上端Ｐ，Ｑをそれぞれ支点として開閉自在とされている。図５（イ）に示すように、スクロール９の可動部９ａを閉じ且つ可動部９ｂを開放すると、室内空気Ｗは換気ダクト１３を介して室外へ換気されることとなる。一方、図５（ロ）に示すように、スクロール９の可動部９ａを開操作し且つ可動部９ｂを閉じると、室内空気Ｗは、空気吹出口５から室内へ還流されることとなる。つまり、スクロール９の可動部９ａ，９ｂを変化させることにより、室内空気Ｗの換気を行う態様と、室内空気Ｗを循環させる態様とを取り得ることとなり、さらなる多機能化を容易に実現できる。
【００２５】
その他の構成および作用効果は、第１の実施の形態におけると同様なので説明を省略する。
【００２６】
第３の実施の形態
図６には、本願発明の第３の実施の形態にかかる空気調和機における遠心多翼ファン部分が示されている。
【００２７】
この場合、スクロール９の一部（即ち、空気吹出口５と対応する部分および吐出口１１と対応する部分）が可動部９ａ，９ｂとされている。該可動部９ａは、上端Ｐを支点として開閉自在とされる一方、可動部９ｂは、吐出口１１を開閉するようにスライド自在とされている。図６（イ）に示すように、スクロール９の可動部９ａを閉じ且つ可動部９ｂを吐出口１１を開放する方向にスライド移動させると、シロッコファンとして機能することとなり、室内空気Ｗは換気ダクト１３を介して室外へ換気されることとなる。一方、図６（ロ）に示すように、スクロール９の可動部９ａを開操作し且つ可動部９ｂを吐出口１１を閉じる方向にスライド移動させると、貫流ファンとして機能することとなり、室内空気Ｗは、空気吹出口５から室内へ還流されることとなる。つまり、スクロール９の可動部９ａ，９ｂを変化させることにより、室内空気Ｗの換気を行う態様と、室内空気Ｗを循環させる態様とを取り得ることとなり、さらなる多機能化を容易に実現できる。
【００２８】
その他の構成および作用効果は、第１の実施の形態におけると同様なので説明を省略する。
【図面の簡単な説明】
【００２９】
【図１】本願発明の第１の実施の形態にかかる空気調和機の縦断面図である。
【図２】本願発明の第１の実施の形態にかかる空気調和機における貫流ファンの拡大断面図である。
【図３】図１のＩＩＩ−ＩＩＩ拡大断面図である。
【図４】図１のＩＶ−ＩＶ拡大断面図である。
【図５】本願発明の第２の実施の形態にかかる空気調和機における遠心多翼ファン部分の断面図であり、（イ）は室内空気の換気態様を示し、（ロ）は室内空気の循環態様を示す。
【図６】本願発明の第３の実施の形態にかかる空気調和機における遠心多翼ファン部分の断面図であり、（イ）は室内空気の換気態様を示し、（ロ）は室内空気の循環態様を示す。
【符号の説明】
【００３０】
３は貫流ファン
６は多連羽根車
６ａは羽根車
９はスクロール
９ａ，９ｂは可動部
１０は吸込口
１１は吐出口
【図１】
2005330905.tif 000003
【図２】
2005330905.tif 000004
【図３】
2005330905.tif 000005
【図４】
2005330905.tif 000006
【図５】
2005330905.tif 000007
【図６】
2005330905.tif 000008